(57)【特許請求の範囲】
【請求項１】
環状周壁とこの環状周壁の下端に一体連結する底壁によってその内側に内容物の収納、混合空間を形成するカップと、このカップの口部に着脱自在に固定保持され該口部を密閉状態に保持する蓋体とを備えた混合容器であって、
前記蓋体は、カップの口部開口に対面する天面壁と、この天面壁の縁部に一体連結し該カップの口部外壁に係合可能な周壁からなり、
前記蓋体とカップとの相互間に、該カップの口部の全域を覆う弾性シートを設け、
該弾性シートに、前記収納、混合空間内の圧力上昇に伴って開放するスリットバルブを設け、
該蓋体の天面壁に、該蓋体の内外において連通する貫通孔を設けるとともに、当該天面壁の下面に、前記貫通孔を取り囲み弾性シートとの相互間にて極僅かな隙間を残して配置される筒体を設け、
さらに蓋体は、天面壁の下面に、その天面壁から突設され、スリットバルブの開放時に該スリットバルブの開放部位に当接してその開放度合いを規制するストッパーを有することを特徴とする混合容器。
【請求項２】
前記蓋体の天面壁は、その上面側、下面側への反転を可能とするドーム型の断面形状を有する、請求項１記載の混合容器。
【請求項３】
前記カップは、環状周壁の内面に間隔をおいて配置され、かつ、カップの軸心に対して角度をもって傾斜させた複数枚の縦リブを有する、請求項１又は２記載の混合容器。
【請求項４】
前記カップは、環状周壁を内側に向けて角度をもって局所的に張り出させた複数の凸部を有する、請求項１又は２に記載の混合容器。
【発明の詳細な説明】
【技術分野】
【０００１】
本発明は、種類の異なる材料を単一の混合空間内で混合するのに好適な混合容器に関するものである。
【背景技術】
【０００２】
毛染め剤や化粧料では、種類の異なる材料（例えば、主剤と補助剤等）をそれぞれの容器から所定量注出し注出した内容物を別途に用意した密閉型の容器内で混合して使用するものが商品として流通している。
【０００３】
ところで、この種の商品において、とくに内容物の混合に際して内容物が反応してガスが発生するものにあっては、混合容器内の圧力上昇を回避すべくガス抜き機構が必要とされているところ（例えば、特許文献１参照）、近年に至ってはその構造が複雑化していく傾向にあり混合容器そのもののコスト上昇が避けられない状況にあった。
【特許文献１】特開２００６−１８２４２５号公報
【発明の開示】
【発明が解決しようとする課題】
【０００４】
本発明の課題は、構造のより簡素化された新規な混合容器を提案するところにある。
【課題を解決するための手段】
【０００５】
本発明は、上記の課題を解決するためになされたものであって、環状周壁とこの環状周壁の下端に一体連結する底壁によってその内側に内容物の収納、混合空間を形成するカップと、このカップの口部に着脱自在に固定保持され該口部を密閉状態に保持する蓋体とを備えた混合容器であって、
前記蓋体は、カップの口部開口に対面する天面壁と、この天面壁の縁部に一体連結し該カップの口部外壁に係合可能な周壁からなり、
前記蓋体とカップとの相互間に、該カップの口部の全域を覆う弾性シートを設け、
該弾性シートに、前記収納、混合空間内の圧力上昇に伴って開放するスリットバルブを設け、
該蓋体の天面壁に、該蓋体の内外において連通する貫通孔を設けるとともに、当該天面壁の下面に、前記貫通孔を取り囲み弾性シートとの相互間にて極僅かな隙間を残して配置される筒体を設け、
さらに蓋体は、天面壁の下面に、その天面壁から突設され、スリットバルブの開放時に該スリットバルブの開放部位に当接してその開放度合いを規制するストッパーを有することを特徴とする混合容器である。
【０００７】
蓋体の天面壁は、その上面側、下面側への反転を可能とするドーム型の断面形状とすることができる。
【０００８】
カップとしては、環状周壁の内面に間隔をおいて配置され、かつ、カップの軸心に対して角度をもって傾斜させた複数枚の縦リブを設けるか、あるいは、環状周壁を内側に向けて角度をもって局所的に張り出させた複数の凸部を設けることができる。
【発明の効果】
【０００９】
蓋体とカップとの相互間に弾性シートを設け、この弾性シートに形成したスリットバルブを通して容器内の圧力上昇を開放するようにしたため、構造の複雑化を伴うことはない。
【００１０】
スリットバルブの開放度合いはその開放部位が蓋体の天面壁に設けたストッパーに当接することにより規制されるため該バルブを通して内容物が流れ出るのが抑制される。
【発明を実施するための最良の形態】
【００１１】
以下、図面を用いて本発明をより具体的に説明する。
図１は本発明にしたがう混合容器の外観斜視図であり、図２は図１の分解斜視図であり、図３は図１に示した混合容器の断面を示した図である。
【００１２】
図における１は内容物の収納、混合空間Ｍを形成するカップである。このカップ１は環状周壁１ａと、この環状周壁１ａの下端に一体連結する底壁１ｂからなる。
【００１３】
２はカップ１の口部１ｃにねじあるいはアンダーカットにより着脱自在に固定保持され該口部１ｃを密閉状態に保持する蓋体である。この蓋体２はカップ１の口部開口に対面する天面壁２ａと、この天面壁２ａの縁部に一体連結し該カップ１の口部外壁に係合可能な周壁２ｂからなる。
【００１４】
３は蓋体２とカップ１（口部１ｃの突端）との相互間で挟持される弾性シート（パッキン状のもの）である。この弾性シート３はカップ１の口部１ｃの全域を覆うものであり、収納、混合空間Ｍ内の圧力上昇に伴って開放するスリットバルブ３ａが設けられている。
【００１５】
４は蓋体２の天面壁２ａに設けられ、その内外において連通する貫通孔、５は蓋体２の天面壁２ａの下面で該貫通孔４を取り囲むように設けられた筒体である。この筒体５は弾性シート３との相互間にて極僅かな隙間ｔを形成する先端部（下端部）を有している。
【００１６】
また、６は蓋体２の天面壁2ａの下面に形成された筒状を例として示したストッパーである。このストッパー６はスリットバルブ３ａが開放する際に該ストッパーの６の先端部（下端部）が当接してスリットバルブ３ａの開放度合いを規制するものであり、該先端部には図４に外観を示す如く加圧ガスを通り抜けやすくするための切欠部６ａが形成されている。
【００１７】
さらに、７はカップ１の周壁１ａの下部に設けられた縦リブである。この縦リブ７はその周りに沿い間隔をおいて複数枚設けられており、混合容器に対して揺さぶり動作を付加する際に内容物の混合を促進する機能を発揮する。また、該縦リブ７はカップ１を積み重ねる、いわゆるスタッキングに際してカップ１が相互に分離不能に組み合わさるブロッキング現象を効果的に軽減し得る機能をも発揮する。
【００１８】
上記の構成になる混合容器は、蓋体２とカップ１との相互間にスリットバルブ３ａを有する弾性シート３を配置した簡単な構造になるものであって、効率的な製造が行え製造コストの上昇を招くことはない。
【００１９】
また、スリットバルブ３ａは図５に示すようにストッパー６によりその開放度合いが規制されるだけでなく、貫通孔４は筒体５に取り囲まれているため、内容物の混合を促進すべく容器に揺さぶり動作を加えても該貫通孔４を通して内容物が漏れ出ることはない。
【００２０】
図６は本発明にしたがう混合容器の他の例を示した図である。この例は縦リブ７をより長くするとともにカップ１の軸心に対して角度θをもって傾斜させた例である。縦リブ７に角度θを付与しておくことにより内容物の効率的な混合が可能となる。
【００２１】
図７は本発明にしたがう混合容器の他の例を示した図である。この例はカップ１の環状周壁１ａを、内側に向けて角度θ１をもって局所的に張り出させた複数の凸部８を設け、その部位における径方向の寸法がカップ１の長手方向の中央部で細径になるように成形したものである。
【００２２】
かかる構成の混合容器においては、容器が握りやすくなるうえ内容物の効率的な混合が可能となる。
【００２３】
図８（ａ）〜（ｃ）は本発明にしたがう混合容器のさらに他の例を示した図である。本発明においては蓋体２の天面壁２ａはドーム型をなす断面形状とすることも可能であり、この場合も図８（ｂ）に示すように容器内の圧力が上昇してもスリットバルブ３ａの開放度合いが規制されるため内容物の漏れ出しを抑制し効率的な混合が可能となる。
【００２４】
とくに蓋体２をドーム型をなす断面形状とすることで図８（ｃ）に示すように起点２ａ１を境に反転させることが可能となり容器の洗浄等に際して弾性シート３を簡単に取り外すことができる。
【００２５】
弾性シート３は実施の形態において示した如く、カップ１の口部１ｃと蓋体２との間で挟持して固定することができるが、該弾性シート３は予め蓋体２の内面に装着しておくようにしてもよく、この点については限定されない。
【産業上の利用可能性】
【００２６】
構造が簡素化され、かつ混合動作に際して液漏れのおそれがない混合容器が提供できる。
【図面の簡単な説明】
【００２７】
【図１】本発明にしたがう混合容器の外観斜視図である。
【図２】図１に示した混合容器の分解状態を示した図である。
【図３】図１に示した混合容器の断面を示した図である。
【図４】ストッパーの外観形状を示した図である。
【図５】スリットバルブが開放された状態を示した図である。
【図６】本発明にしたがう混合容器の他の実施の形態を示した図である。
【図７】本発明にしたがう混合容器の他の実施の形態を示した図である。
【図８】本発明にしたがう混合容器のさらに他の実施の形態を示した図であり、（ａ）は蓋体の取付け状態を示した図であり、（ｂ）はスリットバルブの開放状態を示した図であり、（ｃ）は蓋体を下面側へ反転させた状態を示した図である。
【符号の説明】
【００２８】
１  カップ
１ａ  環状周壁
１ｂ  底壁
１ｃ  口部
２  蓋体
２ａ  天面壁
２ｂ  周壁
３  弾性シート
３ａ  スリットバルブ
４  貫通孔
５  筒体
６  ストッパー
６ａ  切欠部
７  縦リブ
８  凸部
ｔ  隙間
【図１】
0005074979.tif 000002
【図２】
0005074979.tif 000003
【図３】
0005074979.tif 000004
【図４】
0005074979.tif 000005
【図５】
0005074979.tif 000006
【図６】
0005074979.tif 000007
【図７】
0005074979.tif 000008
【図８】
0005074979.tif 000009